(57)【要約】      （修正有）【課題】スチームを生成することができるヘアスタイラーにおいて、水の漏出問題を解消したヘアスタイラーを提供する。【解決手段】スチームを生成することができるヘアスタイラーは、ハウジング１０と、弾性アセンブリ２０と、ホットコアアセンブリ３０と、ホットコアカバー４０と、押圧シート５０と、第３のリークプルーフ部材６０と、水容器７０とを備えている。【選択図】図４
2014083058.tif 000002
【特許請求の範囲】
【請求項１】
スチームを生成するヘアスタイラーであって、ハウジングと、弾性アセンブリと、ホットコアアセンブリと、押圧シートと、水容器とを備え；
前記ハウジングは、開かれた端部を有し、前記ハウジングの内部にはヒーターが配置され、前記ハウジングの外面には複数の孔を有し；
前記弾性アセンブリは、前記ヒーターに隣接して配置され、押当て部材を含み、前記ヒーターは前記押当て部材の中心穴の内部に延びており；
前記ホットコアアセンブリは、前記弾性アセンブリに押しつけられており、吸水カバーと、第１のリークプルーフ部材と、第２の弾性部材及び第２のリークプルーフ部材と、密封カバーとを含み、
前記吸水カバーは、吸水部材をカバーしており、前記吸水部材は、その一端に、少なくとも１つの外向きに突き出た吸水部が形成されており、当該吸水部は、前記吸水カバーの第１の肩部の周辺に形成された少なくとも１つの開口から外方に広がり、
前記第１のリークプルーフ部材が、前記吸水カバーの第１の肩部に隣接し、
前記第２の弾性部材及び前記第２のリークプルーフ部材が、前記吸水カバーにかぶせられ、前記吸水カバーがホットコアカバーに挿入され、これにより、前記ホットコアアセンブリの前記第２のリークプルーフ部材が、前記ホットコアカバーの内面に押しつけられ、前記第２の弾性部材は、前記吸水カバーを押圧する第１の端部と、前記第２のリークプルーフ部材を押圧する第２の端部とを有し、
前記密封カバーは、締め具によって前記吸水カバーの一端に固定されることにより、前記第１のリークプルーフ部材及び前記ホットコアカバーを押圧し、通常の状態において、前記第１の弾性部材が前記ホットコアカバーを前記密封カバーに押しつけることにより、前記ホットコアカバーが前記密封カバーによって密封され；
前記押圧シートは、中心穴を有し、前記ハウジングの前記開かれた端部に挿入され、前記ホットコアカバーの外面に押しつけられており、
第３のリークプルーフ部材が、前記押圧シートと前記ホットコアカバーとの間に位置しており；
前記水容器は、前記押圧シートに接続され、前記押圧シートの前記中心穴を密封する、ヘアスタイラー。
【請求項２】
請求項１に記載のスチームを生成することができるヘアスタイラーであって、
前記ハウジングは、そのもう一つの端部に電力供給源が備えられ、
当該電力供給源は、前記ハウジングの外面に配置されている電力供給スイッチに電気的に接続されて、コントロールされ、
前記ヒーターは、前記電力供給源に電気的に接続され、前記開かれた端部に向かって突き出ている加熱端を有する、ヘアスタイラー。
【請求項３】
請求項１に記載のスチームを生成することができるヘアスタイラーであって、
前記弾性アセンブリは、前記押当て部材と、第１の押圧部材と、第１の弾性部材と、第２の押圧部材とを含み、
前記押当て部材は、前記ヒーターに押しつけられ、
これにより、前記ヒーターの前記加熱端が前記押当て部材の中心穴の内部に延び、
前記第１の押圧部材は、前記押当て部材にかぶせられ、前記押当て部材の中心穴と連通する中心穴を有し、
前記第１の弾性部材は、前記第１の押圧部材にかぶせられた第１の端部を有し、
前記第２の押圧部材は、前記第１の弾性部材の第２の端部に挿入されて押圧される一端を有するとともに、前記第１の押圧部材及び前記押当て部材の中心穴と連通する中心穴を有する、ヘアスタイラー。
【請求項４】
請求項１に記載のスチームを生成することができるヘアスタイラーであって、
前記吸水カバーは、中空のパイプであり、３つの異なる直径の肩部、すなわち、前記第１の肩部と、第２の肩部と、第３の肩部とを有し、
前記第２の肩部は、前記第１の肩部より大きく、前記第３の肩部より小さい外径を有し、
前記吸水カバーの前記第１の肩部の周辺に、２つの対向する前記開口が形成されており、
前記第１のリークプルーフ部材は、前記第１の肩部に隣接している、ヘアスタイラー。
【請求項５】
請求項４に記載のスチームを生成することができるヘアスタイラーであって、
前記吸水部材は、吸水性の材料で作られており、前記吸水カバーの内面の形と一致するように形成され、
前記吸水部材は、前記吸水カバーの２つの対向する前記開口から外方に広がる２つの反対側の外向きに突き出た前記吸水部を有する、ヘアスタイラー。
【請求項６】
請求項４に記載のスチームを生成することができるヘアスタイラーであって、
前記第２の弾性部材は、前記吸水カバーにかぶせられており、前記第１の端部が前記吸水カバーの前記第３の肩部を押圧し、
前記第２の端部が、前記第２のリークプルーフ部材を押圧し、
当該第２のリークプルーフ部材は、前記吸水カバーの前記第１及び第２の肩部の間で動けるように配置された、ヘアスタイラー。
【請求項７】
請求項３に記載のスチームを生成することができるヘアスタイラーであって、
前記ホットコアアセンブリは、前記ホットコアカバーの内部に収容され、
さらに、前記ホットコアカバーは、前記第２の押圧部材に隣接し、
前記吸水カバー及び前記吸水部材が、前記第２の押圧部材の中心穴と前記第１の弾性部材とを介して前記ヒーターの方へ延び、
これにより、前記ホットコアカバーが、前記ホットコアアセンブリ及び前記弾性アセンブリを前記ヒーターの方へ進むように動かす、ヘアスタイラー。
【請求項８】
請求項１に記載のスチームを生成することができるヘアスタイラーであって、
前記ホットコアカバーは、その外面に、前記第３のリークプルーフ部材が受容される環状溝が形成された、ヘアスタイラー。
【請求項９】
請求項１に記載のスチームを生成することができるヘアスタイラーであって、
前記押圧シートがその端面に環状溝を含み、
前記水容器は、前記押圧シートの前記環状溝に挿入される、ヘアスタイラー。
【発明の詳細な説明】
【技術分野】
【０００１】
本発明は、ヘアスタイラーに関し、特に、スチームを生成することができるヘアスタイラーに関する。
【背景技術】
【０００２】
従来の手持ちヘアスタイラーは、通常、電気加熱装置を備えており、ヘアスタイルを整えるために、手で持たれる。
ヘアスタイラーの幾つかは、その一端にスチーム生成装置を備えている。当該スチーム生成装置は、水容器と熱受容部とを含んでおり、これらは互いに隣接している。
熱受容部は、ヘアスタイラーの内部の加熱装置に接続されており、加熱装置によって加熱される。
水容器を押すと、水容器が熱受容部から離れる。その後、水が水容器から熱受容部に流れ、熱受容部によって加熱されてスチームになる。
しかしながら、従来のヘアスタイラーのスチーム生成装置においては、各部分のシール性が悪く、水の漏出を起こしていた。
【０００３】
本発明は、上述の不都合を軽減し、又は取り除くためになされたものである。
【発明の概要】
【発明が解決しようとする課題】
【０００４】
本発明の第１の目的は、スチームを生成することができるヘアスタイラーであって、漏出問題を解消したヘアスタイラーを提供することである。
【課題を解決するための手段】
【０００５】
上述の目的を達成するために、本発明によりスチームを生成することができるヘアスタイラーは、ハウジングと、弾性アセンブリと、ホットコアアセンブリと、押圧シートと、第３のリークプルーフ部材と、水容器とを備えている。
【０００６】
前記ハウジングは、開かれた端部を有し、前記ハウジングの内部にはヒーターが配置され、前記ハウジングの外面には複数の孔を有している。
【０００７】
前記弾性アセンブリは、前記ヒーターに隣接して配置され、前記ヒーターは押当て部材の中心穴の内部に延びている。
【０００８】
前記ホットコアアセンブリは、前記弾性アセンブリに押しつけられており、吸水カバー及び密封カバーを含み、
前記吸水カバーは、吸水部材をカバーしており、前記吸水部材は、その一端に、少なくとも１つの外向きに突き出た吸水部が形成されており、当該吸水部は、前記吸水カバーの第１の肩部の周辺に形成された少なくとも１つの開口から外方に広がり、
第１のリークプルーフ部材が、前記吸水カバーの第１の肩部に隣接し、
第２の弾性部材及び第２のリークプルーフ部材が、前記吸水カバーにかぶせられ、前記吸水カバーがホットコアカバーに挿入され、これにより、前記ホットコアアセンブリの前記第２のリークプルーフ部材が、前記ホットコアカバーの内面に押しつけられ、前記第２の弾性部材は、前記吸水カバーを押圧する第１の端部と、前記第２のリークプルーフ部材を押圧する第２の端部とを有し、
前記密封カバーは、締め具によって前記吸水カバーの一端に固定されることにより、前記第１のリークプルーフ部材及び前記ホットコアカバーを押圧し、通常の状態において、前記第１の弾性部材が前記ホットコアカバーを前記密封カバーに押しつけることにより、前記ホットコアカバーが前記密封カバーによって密封される。
【０００９】
前記押圧シートは、中心穴を有し、前記ハウジングの前記開かれた端部に挿入され、前記ホットコアカバーの外面に押しつけられており、
前記第３のリークプルーフ部材が、前記押圧シートと前記ホットコアカバーとの間に位置しており。
【００１０】
前記水容器は、前記押圧シートに接続され、前記押圧シートの中心穴を密封する。
【図面の簡単な説明】
【００１１】
【図１】本発明においてスチームを生成することができるヘアスタイラーの斜視図である。
【図２】本発明においてスチームを生成することができるヘアスタイラーを示す部分断面図である。
【図３】本発明においてスチームを生成することができるヘアスタイラーの一部の分解図である。
【図４】本発明においてスチームを生成することができるヘアスタイラーの一部の拡大断面図である。
【図５】本発明において水容器が押圧されている状態を示す動作図である。
【発明を実施するための形態】
【００１２】
本発明は、添付の図面と共に以下の説明を参照することによって、より明らかとなる。当該図面は、例示のみの目的で、本発明に従った好ましい実施例を示す。
【００１３】
図１〜図５を参照すると、本発明においてスチームを生成することができるヘアスタイラーが示されており、当該ヘアスタイラーは、ハウジング１０と、弾性アセンブリ２０と、ホットコアアセンブリ３０と、ホットコアカバー４０と、押圧シート５０と、第３のリークプルーフ部材６０と、水容器７０とを備えている。
【００１４】
ハウジング１０は、開かれた端部１２を有し、もう一つの端部には電力供給源１１が備えられている。
ハウジング１０の中には、ヒーター１３が配置され、当該ヒーター１３は、開かれた端部１２の方へ突出している加熱端１３１を有し、ハウジング１０の外面に配置されている電力供給スイッチ１４に電気的に接続され、制御される。
電力供給源１１は、ヒーター１３に電気的に接続されている。
ハウジング１０は、開かれた端部１２に隣接する外面に、複数の孔１５を有している。
【００１５】
弾性アセンブリ２０は、ヒーター１３に隣接しており、押当て部材２１と、第１の押圧部材２２と、第１の弾性部材２３と、第２の押圧部材２４とを含んでいる。
押当て部材２１は、ヒーター１３の加熱端１３１が押当て部材２１の中心穴２１１の内部に延びるように、ヒーター１３に押しつけられる。
第１の押圧部材２２は、押当て部材２１の上にかぶせられており、押当て部材２１の中心穴２１１と連通する中心穴２２１を有している。
第１の弾性部材２３は、第１の押圧部材２２の上にかぶせられた第１の端部を有し、第２の押圧部材２４は、第１の弾性部材２３の第２の端部に挿入されて押圧される一端と、第１の押圧部材２２及び押当て部材２１の中心穴２２１及び２１１と連通する中心穴２４１とを有する。
【００１６】
ホットコアアセンブリ３０は、吸水カバー３１と、第１のリークプルーフ部材３２と、密封カバー３３と、締め具３４と、吸水部材３５と、第２の弾性部材３６と、第２のリークプルーフ部材３７とを含んでいる。
【００１７】
吸水カバー３１は、中空のパイプであり、３つの異なる直径の肩部、すなわち、第１の肩部３１１、第２の肩部３１２及び第３の肩部３１３を有しており、第２の肩部３１２は、第１の肩部３１１より大きく、第３の肩部３１３より小さい外径を有する。
吸水カバー３１の第１の肩部３１１の周辺には、２つの対向する開口３１４が形成され、第１のリークプルーフ部材３２は第１の肩部３１１に隣接している。
【００１８】
吸水部材３５は、吸水性の材料で作られており、吸水カバー３１の内面の形と一致するように形成されている。
吸水部材３５の一端においては、２つの反対側の外向きに突き出た吸水部３５１が形成され、当該吸水部３５１は、吸水部材３５が吸水カバー３１に挿入されると、吸水カバー３１の開口３１４から外方に広がる。
【００１９】
第２の弾性部材３６は、吸水カバー３１の上にかぶせられ、吸水カバー３１の第３の肩部３１３を押圧する第１の端部と、第２のリークプルーフ部材３７を押圧する第２の端部とを有し、当該第２のリークプルーフ部材３７は、吸水カバー３１の第１及び第２の肩部３１１及び３１２の間で動けるように配置されている。
【００２０】
ホットコアカバー４０は、ホットコアアセンブリ３０の上に載せられ、第２の押圧部材２４に隣接しており、このとき、ホットコアアセンブリ３０の第２のリークプルーフ部材３７は、ホットコアカバー４０の内面に押しつけられ、吸水カバー３１及び吸水部材３５は、第２の押圧部材２４の中心穴２４１と第１の弾性部材２３とを通って、ヒーター１３の方へ延びており、これにより、ホットコアカバー４０は、ホットコアアセンブリ３０と弾性アセンブリ２０とを、ヒーター１３の方へ進むように動かすことができる。
ホットコアカバー４０は、その外面に環状溝４１が形成されている。
ホットコアカバー４０がホットコアアセンブリ３０の上に載せられた後、密封カバー３３は、締め具３４によって、第１のリークプルーフ部材３２に隣接する吸水カバー３１の端部に固定され、第１のリークプルーフ部材３２を押圧して位置決めする。
通常の状態においては、第１の弾性部材２３はホットコアカバー４０を密封カバー３３に押しつける、言い換えると、図４で示すように、ホットコアカバー４０が密封カバー３３によって密封される。
【００２１】
押圧シート５０は、中心穴５１と、端面の環状溝５２とを含む。
押圧シート５０は、ハウジング１０の開かれた端部１２に挿入されて、ホットコアカバー４０の上に載せられ、ホットコアカバー４０の外面に押しつけられる。このとき、ホットコアカバー４０が押圧シート５０の中心穴５１に挿入され、ホットコアアセンブリ３０の密封カバー３３が中心穴５１から外に延びる。
【００２２】
第３のリークプルーフ部材６０は、ホットコアカバー４０の環状溝４１に受容されて、押圧シート５０とホットコアカバー４０との間に位置づけられる。
【００２３】
水容器７０は、押圧シート５０に接続され、押圧シート５０の中心穴５１を密封する。このとき、水容器７０の周辺端は押圧シート５０の環状溝５２に挿入されている。
【００２４】
本発明においてスチームを生成することができるヘアスタイラーのそれぞれの部分の構造関係は、上述の通りである。
ヘアスタイラーを使用する場合には、ハウジング１０の電力供給スイッチ１４によってヒーター１３をオンにし、その後、ユーザーは水容器７０を押す。
その押す力は、押圧シート５０を介してホットコアカバー４０に伝達され、これにより、ホットコアカバー４０は、第２のリークプルーフ部材３７及び第２の押圧部材２４を押圧し、さらに、第２の弾性部材３６を押圧する。
結果的に、図５に示すように、第２の押圧部材２４は、ヒーター１３の方へ進むことによって第１の弾性部材２３を押圧する。こうして、ホットコアカバー４０はヒーター１３にホットコアアセンブリ３０を押しつける。
一方、ヒーター１３の方へのホットコアカバー４０の移動が、ホットコアカバー４０をホットコアアセンブリ３０の密封カバー３３から離れさせる。これにより、水は水容器７０から吸水カバー３１に流れ、ホットコアカバー４０及び密封カバー３３の間の隙間と吸水カバー３１の開口３１４とを通って、吸水部材３５の吸水部３５１に吸収される。
ユーザーが水容器７０を押し続け、吸水部材３５をヒーター１３の加熱端１３１に接触させていれば、吸水部材３５に吸収された水は熱せられてスチームになり、そのスチームは、ハウジング１０の孔１５から出てくる。これにより、ユーザーはヘアスタイルを整えるためにそのスチームを使うことができる。
【００２５】
ヘアスタイリングは、例えば、ヒーターによって加熱されたハウジング１０の外面と、当該外面に接離可能に配置されたプレートとの間に髪を挟み、ハウジング１０及び前記プレートに髪を巻きつけることにより行う。スチームによって、髪に潤いを与えつつ、効率的にヘアスタイルを整えることができる。
【００２６】
ヘアスタイラーを使い終わったとき、ユーザーは、水容器７０を押すのを止めるだけでよく、第１及び第２の弾性部材２３及び３６は、それぞれの部品を元の位置に押し戻し、ホットコアカバー４０は、密封カバー３３の方へ戻される。これにより、ホットコアカバー４０及び密封カバー３３の間の第１のリークプルーフ部材３２と、吸水カバー３１及びホットコアカバー４０の間の第２のリークプルーフ部材３７と、ホットコアカバー４０及び押圧シート５０の間の第３のリークプルーフ部材６０とは、ヘアスタイラーが使われていないときに、より良い密封パフォーマンスを提供する。
【００２７】
我々は本発明によるいろいろな実施例を示して説明したが、更なる実施例が本発明の範囲から逸脱することなく作られ得ることは当業者に明らかである。
【図１】
2014083058.tif 000003
【図２】
2014083058.tif 000004
【図３】
2014083058.tif 000005
【図４】
2014083058.tif 000006
【図５】
2014083058.tif 000007